(57)【要約】【課題】  新規性のある見栄えを演出することが可能な表示装置を提供する。【解決手段】  表示板５０と、この表示板５０の前方側に配置される透光部材６０と、表示板５０の背後に配置される光源９０とを備え、透光部材６０は、その主要部をなす本体部６１と、この本体部６１の前面部Ｐに設けられる凸状の隆起部６２とを有し、表示板５０は、隆起部６２に対応するように基板５５に設けられる不透過層５４と、この不透過層５４の背景を形成するように基板５５に設けられ、その色調が不透過層５４の色調とは異なる地色層５３とを有し、光源９０が点灯したときに観察者側から透光部材６０を視認すると、表面部６２ａと隆起部６２ａを包囲する包囲領域とは不透過層５４の色調を有するように視認されるとともに、傾斜部６２ｂは傾斜部６２ｂでの反射臨界角Ｙによって地色層５３の色調を有するように視認される。【選択図】図３
2014035223.tif 000002
【特許請求の範囲】
【請求項１】
表示板と、前記表示板の前方側に配置される透光部材と、前記表示板の背後に配置される光源とを備え、
前記透光部材は、その主要部をなす本体部と、前記本体部の前面部に設けられる凸状の隆起部とを有し、
前記表示板は、その母材となる光透過性の基板と、前記隆起部に対応するように前記基板に設けられる不透過部と、前記不透過部の背景を形成するように前記基板に設けられ、その色調が前記不透過部の色調とは異なる地色部とを有し、
前記光源が点灯したときに観察者側から前記透光部材を視認すると、
前記隆起部の表面部と前記隆起部を包囲するように前記本体部に形成される包囲領域とは前記不透過部の色調を有するように視認されるとともに、
前記隆起部の側面部は前記側面部から前記隆起部の外部へと光が通過する際の前記側面部での反射臨界角によって前記地色部の色調を有するように視認されることを特徴とする表示装置。
【請求項２】
前記隆起部は、その４つの前記側面部が傾斜している台形形状からなることを特徴とする請求項１記載の表示装置。
【発明の詳細な説明】
【技術分野】
【０００１】
本発明は、表示板と、凸状の隆起部を有する透光部材と、表示板及び透光部材に照明光を供給する光源とを備えた表示装置に関するものである。
【背景技術】
【０００２】
従来より、この種の表示装置にあっては、例えば下記特許文献１に記載され
ているものが知られている。この特許文献１に記載の表示装置は、凸目盛部（凸状の隆起部）を有する透明アクリル樹脂からなる平板状の導光体（透光部材）と、この導光体上に載置される表示板と、導光体の一側面に対向配置される光源と、空気層を介して導光体の背後に配置される合成樹脂からなる基材とを備え、表示板は凸目盛部が貫通（挿通）する貫通孔部と、凸目盛部に対応するように凸目盛部の内側に設けられる数字からなる意匠部とを有し、基材の表面には凸目盛部に対応するように金属調層が形成されてなるものである。
【先行技術文献】
【特許文献】
【０００３】
【特許文献１】特開２００７−４６９８７号公報
【発明の概要】
【発明が解決しようとする課題】
【０００４】
上述した特許文献１に記載の表示装置において、光源が消灯している場合、凸状の隆起部である凸目盛部は、その直下に形成されている金属調層の色調を有して視認されることになる。このように凸目盛部全体が金属調の色調にて視認される場合にあっては、凸目盛部の見栄えが単調なものとなり、斬新さに欠けていた。
そこで本発明は、前述の課題に対して対処するため、新規性のある見栄えを演出することが可能な表示装置の提供を目的とするものである。
【課題を解決するための手段】
【０００５】
本発明は、表示板と、前記表示板の前方側に配置される透光部材と、前記表示板の背後に配置される光源とを備え、前記透光部材は、その主要部をなす本体部と、前記本体部の前面部に設けられる凸状の隆起部とを有し、前記表示板は、その母材となる光透過性の基板と、前記隆起部に対応するように前記基板に設けられる不透過部と、前記不透過部の背景を形成するように前記基板に設けられ、その色調が前記不透過部の色調とは異なる地色部とを有し、前記光源が点灯したときに観察者側から前記透光部材を視認すると、前記隆起部の表面部と前記隆起部を包囲するように前記本体部に形成される包囲領域とは前記不透過部の色調を有するように視認されるとともに、前記隆起部の側面部は前記側面部から前記隆起部の外部へと光が通過する際の前記側面部での反射臨界角によって前記地色部の色調を有するように視認されることを特徴とする。
【０００６】
また本発明は、前記隆起部は、その４つの前記側面部が傾斜している台形形状からなることを特徴とする。
【発明の効果】
【０００７】
本発明によれば、初期の目的を達成でき、新規性のある見栄えを演出することが可能な表示装置を提供できる。
【図面の簡単な説明】
【０００８】
【図１】本発明の実施形態による表示装置の正面図。
【図２】図１のＡ−Ａ断面図。
【図３】図２中、Ｂ部を拡大して示す拡大断面図。
【図４】図１のＣ−Ｃ断面図。
【図５】同実施形態による隆起部の傾斜部での反射臨界角を説明するための図。
【図６】同実施形態による光源点灯時における透光部材の要部正面図。
【発明を実施するための形態】
【０００９】
以下、図１〜図６に基づいて、本発明の実施形態を例えば自動車に搭載される車両用計器（指針式計器）に適用した場合を例に挙げて説明する。
【００１０】
図１、図２において、本実施形態による表示装置としての車両用計器は、回路基板１０と、この回路基板１０に導通装着され回転軸２０が前方に延びる駆動装置３０と、回転軸２０にて回転駆動される指針４０と、この指針４０の背後に位置して回路基板１０上に配置される表示板５０と、この表示板５０の前方側に配置される透光部材６０と、指針４０や表示板５０、透光部材６０を露出させるための見返し板７０と、指針４０を照明する指針用光源８０と、表示板５０と透光部材６０を照明する光源９０と、回路基板１０と表示板５０との間に配置されるケース体１００とから構成される。
【００１１】
回路基板１０は、例えばガラスエポキシ系基材に配線パターン（図示せず）を施した硬質配線基板からなり、指針用光源８０と、光源９０と、駆動装置３０の駆動・制御を行う駆動手段（図示せず）と、抵抗、コンデンサ等の各種回路部品（図示せず）とが前記配線パターンに導通接続されている。
【００１２】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１３】
指針４０は、透光性の合成樹脂からなり、回転軸２０の先端に連結され、その回転中心部には遮光性カバーが装着されている。そして、この指針４０は指針用光源８０からの照明光を受けて発光する発光式指針である。
【００１４】
表示板５０は、指針４０の回転軌道（作動範囲）に沿った円弧状の配列形状を有し指針４０によって指示される速度数字からなる指標部５１と、透光部材６０の内側にて、この指標部５１の背景を形成するように設けられる背景部５２と、透光部材６０に対応するように表示板５０の前面側周縁に設けられる地色層（地色部）５３及び不透過層（不透過部）５４を有している。
【００１５】
これら指標部５１、背景部５２、地色層５３、不透過層５４は、指標部５１並びに地色層５３が例えば白色系の透光性インクにより、背景部５２並びに不透過層５４が例えば黒色系の遮光性インクにより、それぞれ表示板５０の母材となる光透過性の基板５５の前面側に印刷形成されている。
【００１６】
ここで、地色層５３と不透過層５４の位置関係に着目すると、透光部材６０に対応する基板５５の前面側周縁箇所に地色層５３と不透過層５４とが順次積層形成され、基板５５に近い側に地色層５３が位置し、透光部材６０に近い側に不透過層５４が位置している。
【００１７】
指標部５１は、透光部材６０の後述する隆起部に対応するように前記隆起部の内側に設けられた白色の印刷層からなる。
【００１８】
地色層５３は、不透過層５４の背景を形成するように基板５５の前面に設けられた白色の印刷層からなり、この場合、透光部材６０の後述する前面部に対応するように背景部５２の外側に設けられている。なお、地色層５３は、不透過層５４の色調とは異なる色調であればあらゆる色調を採用することができ、例えば地色層５３をパール系の透光性インクにより印刷形成してもよい。
【００１９】
不透過層５４は、地色層５３の前面に積層形成された黒色の印刷層からなり、前記隆起部に対応するように基板５５の前面側に設けられている。ここで、地色層５３と不透過層５４と透光部材６０（前記前面部）との三者の横方向幅寸法に着目すると、図３、図４に示すように地色層５３と透光部材６０（前記前面部）の横方向幅寸法は略同一の幅寸法に設定され、不透過層５４の横方向幅寸法は地色層５３（前記前面部）の横方向幅寸法よりも若干、小さめに設定されている。また、不透過層５４の横方向幅寸法は、前記前面部に隆起形成される透光部材６０の前記隆起部の横方向幅寸法よりも若干、幅広くなっている。
【００２０】
透光部材６０は、透光性のアクリル樹脂材料にて形成され、その外形形状は円環リング状となっている。また、透光部材６０は、その主要部をなすリング状の本体部６１と、この本体部６１の傾斜面形状からなる前面部Ｐに設けられる凸状の隆起部６２とを有している。
【００２１】
隆起部６２は、個々の指標部５１に対応するように本体部６１の前面部Ｐから突出形成された凸目盛部からなり、この場合、指標部５１並びに凸目盛である隆起部６２は指針４０によって指示される指示対象となるものである。
【００２２】
また隆起部６２は、図１中、隆起部６２の長手方向における断面形状、並びに前記長手方向とは直交する方向の断面形状が台形形状となっている。つまり、隆起部６２には、台形形状の上底部分に相当する表面部６２ａと、台形形状の斜辺部分（この場合、斜辺は４つある）に相当する傾斜面からなる４つの傾斜部（側面部）６２ｂとが形成されている。このように、本例の場合、隆起部６２は、その４つの傾斜部（側面部）６２ｂが全て傾斜している台形形状となっている。
【００２３】
ここで、図４に示す隆起部６２の断面形状（つまり前記長手方向とは直交する方向の隆起部６２の断面形状）において、Ｒ１は観察者側から隆起部６２を正視した際の表面部６２ａの幅寸法となる第１の領域であり、Ｒ２は観察者側から隆起部６２を正視した際の側面部６２ｂの幅寸法となる第２の領域Ｒ２であり、Ｒ３は隆起部６２を包囲するように本体部６１に形成される包囲領域としての第３の領域である。
【００２４】
なお、第３の領域Ｒ３は、観察者側から隆起部６２を正視した際の傾斜部６２ｂ下端縁から不透過層５４の外縁部分に対応する前面部Ｐ箇所まで最短距離であるとも言える。
【００２５】
そして、観察者側から隆起部６２を正視した際の各領域Ｒ１〜Ｒ３の位置関係に着目すると、隆起部６２の中央部に第１の領域Ｒ１が位置し、隆起部６２の周縁部分にて第１の領域Ｒ１を取り巻くように第２の領域Ｒ２が位置し、不透過層５４と隆起部６２とが重ならない本体部６１箇所に対応する位置に、第２の領域Ｒ２を取り巻くように第３の領域Ｒ３が設けられている。
【００２６】
ところで、図５中、Ｘは台形形状からなる隆起部６２において、傾斜面からなる傾斜部６２ｂと前面部Ｐの延長面となる仮想延長面Ｑとのなす角度を示し、Ｎは傾斜面からなる傾斜部６２ｂの法線を示し、Ｙは透光性アクリル樹脂からなる隆起部６２ｂに備えられる傾斜面からなる傾斜部６２ｂにて、傾斜部６２ｂから傾斜部６２ｂ外部へと光が通過する際の傾斜部６２ｂでの反射臨界角を示している。
【００２７】
そして、本例において角度Ｘの値は８０度に設定されている。なお、角度Ｘの値は４０度以上９０度未満であることが好ましい。また、反射臨界角Ｙは、隆起部６２ｂを含む透光部材６０がアクリル樹脂にて構成されている場合、約４２度程度であることが知られている（例えば特開２００６ー３３９００４号の段落番号００２３参照）。
【００２８】
見返し板７０は、透光部材６０の本体部６１とこれに囲まれた指針４０や指標部５１を露出し、それ以外の所要領域を隠蔽するもので、透光部材６０の本体部６１に対応する箇所に開口部７１を備えている。
【００２９】
指針用光源８０は、例えば赤色光を発するチップ型発光ダイオードからなり、指針４０の回転中心近傍に複数個配置され、ケース体１００の後述する筒状部内に収納され指針４０を赤色に発光させる発光体である。
【００３０】
光源９０は、例えば白色光を発するチップ型発光ダイオードからなり、表示板５０の背後に配置されている。この場合、光源９０は、ケース体１００の後述する第１の反射部に対向配置され、指標部５１や第２の領域Ｒ２を白色に発光させる発光体である。
【００３１】
ケース体１００は、例えば白色系の合成樹脂からなり、表示板５０を保持する保持体としての機能、指針用光源８０や光源９０を収納するハウジングとしての機能、指針用光源８０や光源９０のから光を前方側に反射させる反射体としての機能を有している。
【００３２】
かかるケース体１００は、指針用光源８０を収納し指針４０の前記回転中心部に指針用光源８０からの光を供給するための筒状部１０１と、この筒状部１０１を取り巻くように表示板５０側に傾斜して延び光源９０と対向する第１の反射部１０２と、この第１の反射部１０２と表示板５０とに対向し回転軸２０から離れるに従って表示板５０に近接する皿形状の環状壁からなる第２の反射部１０３とを有している。
【００３３】
また、この場合、第１の反射部１０２は光源９０からの光を主に外周に向けて放射状に反射する反射面を構成し、第２の反射部１０３は第１の反射部１０２を通じて外周に反射された光を表示板５０並びに透光部材６０側に反射する反射面を構成している。
【００３４】
以上の各部により車両用計器が構成されている。このような構成において、光源９０が点灯すると、この光源９０からの光は各反射部１０２、１０３を通じて表示板５０へと反射導光される。その結果、指標部５１は白色にて発光表示される。
【００３５】
また、表示板５０の周縁に配置される透光部材６０は、光源９０の点灯時に以下のような表示形態にて観察者側から視認される構成となる。すなわち、光源９０が点灯したときに観察者側から透光部材６０を視認すると、ともに平坦面にて構成されている隆起部６２の表面部６２ａ（つまり第１の領域Ｒ１）と第３の領域Ｒ３（つまり前記包囲領域）とは不透過層５４の色調（つまり黒色）を有するように視認される。一方、第１の領域Ｒ１と第３の領域Ｒ３との間に位置している傾斜面からなる隆起部６２の傾斜部６２ｂ（つまり第２の領域Ｒ２）は、反射臨界角Ｙによって地色部５３の色調（つまり白色）を有するように視認される。
【００３６】
ここで、第２の領域Ｒ２である傾斜部６２ｂが白色を有するように視認される理由を説明する。まず、図５中、左側に位置する傾斜部６２ｂ箇所は、図５中、一点鎖線にて示す反射臨界角Ｙの光路にて示す通り、図５中、地色部５３の第１エリアＺ１からの白色光を拾うことに起因して、不透過層５４の色調ではなく地色層５３の色調である白色を有するように視認される。
【００３７】
同様に、図５中、右側に位置する傾斜部６２ｂ箇所は、図５中、二点鎖線にて示す反射臨界角Ｙの光路にて示す通り、図５中、地色部５３の第２エリアＺ２からの白色光を拾うことに起因して、不透過層５４の色調ではなく地色層５３の色調である白色を有するように視認される。
【００３８】
なお、第１、第２の領域Ｒ１、Ｒ２を含む隆起部６２並びに本体部６１に形成される第３の領域Ｒ３（前記包囲領域）を除いた本体部６１箇所は、地色層５３の色調である白色を有するように視認されることは言うまでもない。
【００３９】
従って、図１中、Ｄ部を拡大した図である図６に示すように、隆起部６２は、その中央部が黒色表示される第１の領域Ｒ１と、この第１の領域Ｒ１を包囲するように白色表示される第２の領域Ｒ２とから構成され、さらに隆起部６２を包囲する前記包囲領域である第３の領域Ｒ３が第１の領域Ｒ１と同色の黒色にて表示されることから、凸目盛部である隆起部６２を含む透光部材６０の見栄えが面白み（斬新さ）のある見栄えとなる。
【００４０】
以上のように、本実施形態では、表示板５０と、この表示板５０の前方側に配置される透光部材６０と、表示板５０の背後に配置される光源９０とを備え、透光部材６０は、その主要部をなす本体部６１と、この本体部６１の前面部Ｐに設けられる凸状の隆起部６２とを有し、表示板５０は、その母材となる光透過性の基板５５と、隆起部６２に対応するように基板５５に設けられる不透過層５４と、この不透過層５４の背景を形成するように基板５５に設けられ、その色調が不透過層５４の色調とは異なる地色層５３とを有し、光源９０が点灯したときに観察者側から透光部材６０を視認すると、隆起部６２の表面部６２ａと隆起部６２ａを包囲するように本体部６１に形成される前記包囲領域とは不透過層５４の色調を有するように視認されるとともに、隆起部６２の傾斜部６２ｂは側面部６２ｂから隆起部６２の外部へと光が通過する際の傾斜部６２ｂでの反射臨界角Ｙによって地色層５３の色調を有するように視認されるものである。
【００４１】
従って、隆起部６２は、その中央部に位置する表面部６２ａである第１の領域Ｒ１が黒色にて表示されるとともに、この第１の領域Ｒ１を包囲する傾斜部６２ｂ箇所が白色にて表示され、さらに隆起部６２を包囲する前記包囲領域である第３の領域Ｒ３が第１の領域Ｒ１と同色の黒色にて表示されることから、凸目盛部である隆起部６２を含む透光部材６０の見栄えが面白み（斬新さ）のあるものとなり、新規性のある見栄えを演出することが可能な表示装置を提供することができる。また、ともに黒色にて表示される第１の領域Ｒ１と第３の領域Ｒ３との間に白色にて表示される第２の領域Ｒ２が介在していることから、観察者に対する誘目性を向上させることができるというメリットもある。
【００４２】
また本実施形態では、透光部材６０がリング状に形成されている例について説明したが、例えば隆起部６２が形成されない図１の下方側を部分的に分断させた形状としてもよい。つまり、このときの透光部材６０の形状は略馬蹄形状となる。
【符号の説明】
【００４３】
５０    表示板
５１    指標部
５２    背景部
５３    地色層（地色部）
５４    不透過層（不透過部）
５５    基板
６０    透光部材
６１    本体部
６２    隆起部
６２ａ  表面部
６２ｂ  側面部
９０    光源
Ｐ    前面部
Ｒ１    第１の領域
Ｒ２    第２の領域
Ｒ３    第３の領域
Ｙ    反射臨界角
【図１】
2014035223.tif 000003
【図２】
2014035223.tif 000004
【図３】
2014035223.tif 000005
【図４】
2014035223.tif 000006
【図５】
2014035223.tif 000007
【図６】
2014035223.tif 000008